(57)【要約】【課題】発光素子とサブマウント基板とを接続するボンディングワイヤーの周囲のみに保護樹脂を配置する構成であって、保護樹脂の表面による光の反射を抑制し、かつ、発光素子にダメージを与えない構造を提供する。【解決手段】サブマウント基板１と、１以上の発光素子と、サブマウント基板上の回路パターンと発光素子の電極とを接続するボンディングワイヤーと、ボンディングワイヤーを包含するようにボンディングワイヤーの周囲に配置された表面が凸の曲面の保護樹脂とを有する。保護樹脂は、バインダー樹脂と、バインダー樹脂に分散された粒子とを含み、バインダー樹脂および粒子は、前記発光素子が発する光に対して透明である。【選択図】図１
2017212301.tif 000002
【特許請求の範囲】
【請求項１】
サブマウント基板と、前記サブマウント基板に搭載された１以上の発光素子と、前記サブマウント基板上の回路パターンと前記発光素子の電極とを接続するボンディングワイヤーと、前記ボンディングワイヤーを包含するように前記ボンディングワイヤーの周囲に配置された保護樹脂とを有し、
前記保護樹脂は、バインダー樹脂と、前記バインダー樹脂に分散された粒子とを含み、前記バインダー樹脂および前記粒子は、前記発光素子が発する光に対して透明であることを特徴とする発光装置。
【請求項２】
請求項１に記載の発光装置であって、前記粒子の粒径は、未硬化の状態の前記保護樹脂にチクソトロピー性を生じさせる粒径に設定されていることを特徴とする発光装置。
【請求項３】
請求項１に記載の発光装置であって、前記バインダー樹脂と前記粒子は、屈折率差が０．３以下であることを特徴とする発光装置。
【請求項４】
請求項１に記載の発光装置であって、前記ボンディングワイヤーの最上部の前記サブマウント基板からの高さは、前記発光素子の表面の前記サブマウント基板からの高さよりも大きく、
前記保護樹脂の最上部は、前記発光素子の表面よりも高く盛り上げられていることを特徴とする発光装置。
【請求項５】
請求項１に記載の発光装置であって、前記発光素子は、素子基板と前記素子基板上に搭載された半導体発光層とを有し、
前記保護樹脂は、前記半導体発光層に最も近い縁部領域の前記粒子の含有率が、前記縁部領域よりも前記半導体発光層から離れた領域の前記粒子の含有率よりも大きいことを特徴とする発光装置。
【請求項６】
請求項１に記載の発光装置であって、前記発光素子は、素子基板と前記素子基板上に搭載された半導体発光層とを有し、前記素子基板は、一方向に長く、一つの前記素子基板に搭載された前記半導体発光層は、複数であって、前記素子基板の長辺方向に沿って列状に配置され、
前記サブマウント基板上には、複数の前記発光素子が搭載され、前記複数の発光素子は、前記素子基板の長辺が所定の間隙をあけて平行に並び、かつ、複数の前記素子基板の短辺が直線に沿って並ぶように配列され、
前記ボンディングワイヤーは、前記素子基板の短辺に沿った縁部に配置された電極と、前記サブマウント基板上の回路パターンを接続するように前記発光素子ごとに複数本配置されていることを特徴とする発光装置。
【請求項７】
請求項６に記載の発光装置であって、
前記保護樹脂は、前記サブマウント基板上の複数の前記素子基板の一方の短辺の前記ボンディングワイヤーを一括して覆っていることを特徴とする発光装置。
【請求項８】
請求項６に記載の発光装置であって、
前記保護樹脂は、配列された複数の前記素子基板の長辺の間の間隙には、配置されていないことを特徴とする発光装置。
【請求項９】
請求項６に記載の発光装置であって、前記素子基板上に配置された複数の前記半導体発光層は、一層の蛍光体層で覆われていることを特徴とする発光装置。
【請求項１０】
請求項９に記載の発光装置であって、前記蛍光体層の端部と、前記保護樹脂との間には、間隙が設けられていることを特徴とする発光装置。
【請求項１１】
請求項１ないし１０の何れか１項に記載の発光装置を光源として用いる照明装置。
【請求項１２】
請求項１ないし１０の何れか１項に記載の発光装置を光源として用いる車両用照明装置。
【請求項１３】
サブマウント基板上に、１以上の発光素子を搭載した後、前記サブマウント基板上の回路パターンと前記発光素子の電極とをボンディングワイヤーで接続し、
前記ボンディングワイヤーを包含するように、前記ボンディングワイヤーの周囲に未硬化の保護樹脂を滴下した後、硬化させ、
未硬化の前記保護樹脂として、バインダー樹脂に粒子が分散された、チクソトロピー性を有するものを用い、前記バインダー樹脂および前記粒子は、前記発光素子が発する光に対して透明であることを特徴とする発光装置の製造方法。
【発明の詳細な説明】
【技術分野】
【０００１】
本発明は、半導体発光装置に係り、特に、車両用灯具の光源として好適な半導体発光装置に係る。
【背景技術】
【０００２】
ＬＥＤチップ等の発光素子の電極は、サブマウント基板上の回路パターンにワイヤーボンディング等によって接続される。サブマウント基板は、さらに配線基板に搭載され、サブマウント基板上の配線パターンと、配線基板とは、ワイヤーボンディング等によって接続される。
【０００３】
ボンディングワイヤーは、水分等が付着した場合のワイヤー同士の電気的ショートを防止し、かつ、ワイヤーを物理的に保護するために、樹脂等の絶縁材料で保護されることが望ましい。
【０００４】
従来、発光素子の電極とサブマウント基板とを接続するボンディングワイヤーは、発光素子の少なくとも側面と、発光素子の周囲に配置された枠との間を充填する樹脂内に埋め込まれた構造が広く用いられている。
【０００５】
また、サブマウント基板と配線基板とを接続するボンディングワイヤーは、例えば特許文献１に記載されているように、周囲に未硬化の樹脂を滴下して、その表面張力によりワイヤーを内包して盛り上がった形状になるようにし、その形状を保ったまま硬化させて保護樹脂を形成する方法が広く用いられている。そのため、保護樹脂の表面は、球面に近い曲面形状であり、発光素子からの光が、保護樹脂に到達すると、その表面により反射されて、上方に向かって進み、意図しない漏れ光や迷光を生じさせることがある。この問題を解決するために、特許文献１に開示されている技術では、保護樹脂の一部の領域に、発光素子からの光の反射を抑制する構造とすることが開示されている。具体的には、保護樹脂としてカーボンフィラー入り黒樹脂を用いて表面の反射率を低下させる構成や、保護樹脂の一部領域を切削により除去して基板の主平面に対して垂直な形状に加工して、上方への反射を抑制する構成や、保護樹脂の一部領域に複数の穴をあけたり、粗面に加工することにより、表面の反射を抑制することが開示されている。
【０００６】
一方、車両用灯具の光源として、複数の発光素子を２次元に配列したものを用い、この光源の発光パターンを照明したい方向にレンズによって投影する構造の車両用前照灯装置が特許文献２に開示されている。
【先行技術文献】
【特許文献】
【０００７】
【特許文献１】特開２０１１−１８１７５４号公報
【特許文献２】特許第５８２３２１１号公報
【発明の概要】
【発明が解決しようとする課題】
【０００８】
特許文献２のように、複数の発光素子を２次元に配列した光源の発光パターンを投影する車両用灯具は、発光素子と発光素子との間の非発光領域が投影光上で暗部となるのを防ぐために、発光素子の間隔をできるだけ狭くすることが望まれる。このような光源において、発光素子とサブマウント基板とを接続するボンディングワイヤーを、２次元に配列した発光素子の外周部にまとめて配置することは可能である。しかし、これらワイヤーを保護するために、２次元配列された発光素子の外周領域を、上述したように樹脂で充填し、充填樹脂内にボンディングワイヤーを埋め込む構成を採用しようとすると、近接して配列された発光素子間にも樹脂が毛細管現象等により入り込む。発光素子間に入り込んだ樹脂は、発光素子を点灯すると膨張し、発光素子の間隔を押し広げてしまうという問題が生じる。
【０００９】
そのため、車両用灯具の発光素子とサブマウント基板とを接続するボンディングワイヤーの保護に、特許文献１に記載のサブマウント基板と回路基板とを接続するボンディングワイヤーの保護に用いられる技術を採用することが考えられる。その場合、ボンディングワイヤーの周囲のみに、表面張力を利用して、表面が曲面の保護樹脂を形成する。そして、保護樹脂による発光素子から光の反射を抑制するために、カーボンフィラー入り黒樹脂を保護樹脂として用いたり、表面を加工したりする必要がある。しかしながら、カーボンフィラー入り黒樹脂を保護樹脂として用いた場合、発光素子からの光を吸収するため、車両用灯具のように光量の大きな光源では、保護樹脂が劣化する。また、保護樹脂の表面反射を抑制するために、表面を加工する場合、特許文献１に開示されているようにレーザー加工を用いると、ボンディングワイヤーが発光素子に極めて近接して配置されているため、レーザー光が発光素子へダメージを与える。
【００１０】
本発明の目的は、発光素子とサブマウント基板とを接続するボンディングワイヤーの周囲のみに保護樹脂を配置する構成であって、保護樹脂の表面による光の反射を抑制し、かつ、発光素子にダメージを与えない構造を提供することにある。
【課題を解決するための手段】
【００１１】
本発明は上記目的を達成するために、サブマウント基板と、サブマウント基板に搭載された１以上の発光素子と、サブマウント基板上の回路パターンと発光素子の電極とを接続するボンディングワイヤーと、ボンディングワイヤーを包含するようにボンディングワイヤーの周囲に配置された表面が凸の曲面の保護樹脂とを有する。保護樹脂は、バインダー樹脂と、バインダー樹脂に分散された粒子とを含み、バインダー樹脂および粒子は、発光素子が発する光に対して透明である。
【発明の効果】
【００１２】
本発明によれば、発光素子とサブマウント基板とを接続するボンディングワイヤーの周囲のみに保護樹脂を配置する構成であって、保護樹脂の表面による光の反射を抑制し、かつ、発光素子にダメージを与えない構造が提供される。
【図面の簡単な説明】
【００１３】
【図１】第１実施形態の発光装置の（ａ）断面図、（ｂ）上面図。
【図２】（ａ）〜（ｄ）図１の発光装置の製造工程を示す説明図。
【図３】図１の発光装置を回路基板に搭載した照明装置の断面図。
【図４】第２実施形態の発光装置の（ａ）断面図、（ｂ）上面図。
【図５】第３実施形態の発光装置の（ａ）断面図、（ｂ）上面図。
【発明を実施するための形態】
【００１４】
本発明の一実施形態について図面を用いて説明する。
【００１５】
＜第１実施形態＞
第一実施形態の発光装置は、図１に示すように、サブマウント基板１と、サブマウント基板１に搭載された１以上の発光素子２と、ボンディングワイヤー３と、ボンディングワイヤー３の保護樹脂６とを備えている。ボンディングワイヤー３は、サブマウント基板１上の回路パターン５と発光素子２の電極４とを接続する。保護樹脂６は、ボンディングワイヤー３を包含するようにボンディングワイヤー３の周囲に配置されている。保護樹脂６の表面は、凸の曲面である。
【００１６】
保護樹脂６は、バインダー樹脂と、バインダー樹脂に分散された粒子とを含み、バインダー樹脂および粒子は、発光素子２が発する光に対して透明である。
【００１７】
このように、保護樹脂６のバインダー樹脂および粒子は、発光素子２の発する光に対して透明であるため、表面が凸の曲面であっても、発光素子２の発する光を透過することができる。よって、発光素子２の発する光が保護樹脂６の表面により上方に反射されるのを抑制できるため、漏れ光や迷光を抑制できる。
【００１８】
また、保護樹脂６として、バインダー樹脂に粒子が分散されたものを用いることができる。この場合、粒径を設計することで、チクソトロピー性を生じさせることが可能になる。よって、未硬化の保護樹脂６の流動性を制御することが可能になり、ボンディングワイヤー３の周囲の領域のみに未硬化の保護樹脂６をとどまらせることができる。また、複数の発光素子２が図１のように小さな間隙７で並べられている場合であっても、間隙７に未硬化の保護樹脂６が、毛細管現象等によって侵入するのを防ぐことができる。そのため、発光素子２を点灯して温度が上昇した場合であっても、間隙７内には樹脂はないため、間隙７が膨張した樹脂で押し広げられる恐れがなく、発光装置の精度を高めることができるとともに、耐久性を高めることができる。
【００１９】
保護樹脂６の粒子の粒径は、未硬化の状態の保護樹脂６にチクソトロピー性を生じさせる粒径に設定されていることが望ましい。具体的には、バインダー樹脂および粒子の材質を考慮し、所望のチクソトロピー性を生じさせるように、計算または実験によって粒径を定められていることが望ましい。
【００２０】
また、バインダー樹脂と粒子は、屈折率が同等もしくは、屈折率差が、所定値以下（例えば、０．３以下、より好ましくは０．１以下）であることが望ましい。バインダー樹脂と粒子の屈折率差を小さくすることにより、保護樹脂６内に進入した光は、バインダー樹脂および粒子の境界で反射や屈折されず、直進することができる。よって、保護樹脂６による漏れ光や迷光をさらに低減できる。
【００２１】
図１（ａ），（ｂ）の発光装置についてさらに説明する。発光素子２の構造としては、例えば、素子基板２１と、素子基板上に搭載された半導体発光層２２とを有するものを用いる。素子基板２１は、一方向に長く、一つの素子基板２１に搭載された半導体発光層２２は、複数であって、素子基板２１の長辺方向に沿って列状に配置されている。サブマウント基板１上には、複数の発光素子２が搭載されている。複数の発光素子２は、素子基板２１の長辺が所定の間隙７をあけて平行に並び、かつ、複数の素子基板２１の短辺が直線に沿って並ぶように配列されている。
【００２２】
このような発光装置では、ボンディングワイヤー３は、素子基板２２の短辺に沿った縁部に配置された電極４と、サブマウント基板１上の回路パターン５を接続するように発光素子２ごとに複数本配置されている。保護樹脂６は、サブマウント基板１上の複数の素子基板２１の一方の短辺のボンディングワイヤー３を一括して覆っている。
【００２３】
このように、発光装置２において、複数の半導体発光層２２が列状に配列されていることにより、複数の半導体発光層２２を個別に点灯させる構成に回路パターンを設計することができる。このような、半導体発光層２２が列状に配置された発光素子２を、図１（ａ）、（ｂ）のように、複数個配置することにより、２次元（マトリクス状）に半導体発光層２２が配列された発光装置を提供できる。これにより、電極４へ給電するサブマウント１の回路パターン５および電流を供給する駆動回路を適切に設定することにより、２次元に配列された半導体発光層２２を個別に点消灯することが可能になる。図１（ａ），（ｂ）の構成では、ボンディングワイヤー３を素子基板２１の短辺に集めて配置しているため、発光素子２の間隙７を狭くすることができ、非発光領域を狭くすることができる。
【００２４】
また、ボンディングワイヤー３を短辺に集めることにより、保護樹脂６により、複数の素子基板２１のボンディングワイヤー３を一括して覆うことができ、１本ずつ覆う場合よりも保護樹脂６を形成する工程を簡略化することができる。また、本実施形態では、未硬化の保護樹脂６にチクソトロピー性を生じさせることにより、流動性を制御できるため、図１（ｂ）のように、高い密度で配置されたボンディングワイヤー３の間隙にも未硬化の保護樹脂６を侵入させることができ、複数のボンディングワイヤー３を一括して覆った場合でも、各ボンディングワイヤー３の周囲をそれぞれ保護樹脂６で覆うことができる。しかも、発光素子２同士の間隙７には、保護樹脂６を侵入させないように制御できる。
【００２５】
なお、素子基板２１上に配置された複数の半導体発光層２２を、一層の蛍光体層で覆うことも可能である。半導体発光層２２が発した光の一部を蛍光体層８が蛍光に変換することにより、波長変換された光を蛍光体層８の上面から発することができる。
【００２６】
このとき、蛍光体層８の端部と、保護樹脂６とは、接していてもよいし、両者の間に間隙が設けられていてもよい。接している場合、蛍光体層８を伝搬した光が、保護樹脂６内に入射する。両者の間に間隙が設けられている場合には蛍光体層８を伝搬した光が、保護樹脂６内に入射する光量を低減することができる。
【００２７】
ここで、図１（ａ）、（ｂ）の発光装置の製造方法について、図２（ａ）〜（ｄ）を用いて説明する。
【００２８】
サブマウント基板２上に、１以上の発光素子２を搭載する（図２（ａ））。つぎに、サブマウント基板１上の回路パターン５と発光素子２の電極４とをボンディングワイヤーで接続する（図２（ｂ））。そして、必要に応じて、蛍光体層８を発光素子２の上に配置する（図２（ｃ））。
【００２９】
つぎに、ボンディングワイヤー３を包含するように、ボンディングワイヤー３の周囲に未硬化の保護樹脂６を滴下した後、硬化させて、表面が凸の曲面の保護樹脂６を形成する（図２（ｄ））。このとき、未硬化の保護樹脂６として、バインダー樹脂に粒子が分散された、チクソトロピー性を有するものを用いることが望ましい。チクソトロピー性を持たせることにより、滴下時の未硬化の保護樹脂６の流動性を制御することができ、保護樹脂６が周囲に流れ出すことを抑制し、ボンディングワイヤー３の周囲にとどまらせることができる。これにより、発光素子２が複数個サブマウント基板１上に配列して搭載されている場合でも、発光素子２の間隙に未硬化の保護樹脂６が侵入するのを防止できる。
【００３０】
なお、バインダー樹脂および粒子は、発光素子２が発する光に対して透明なものを用いる。これにより、発光素子２を点灯させた場合に保護樹脂６に到達する光があった場合でも、保護樹脂６を透過させることができるため、保護樹脂６の表面における反射光を低減でき、反射光が漏れ光や迷光等になるのを抑制できる。
【００３１】
上述してきたように、本実施形態では、図１（ａ），（ｂ）のように発光素子２を配列することにより、半導体発光層２２が縦横に配列された発光装置でありながら、発光素子２とサブマウント１とを接続するボンディングワイヤー３を発光素子２の光に対して透明な保護樹脂６で保護し、かつ、保護樹脂６による光の反射を防止して迷光等を抑制できる。また、未硬化の状態で保護樹脂６にチクソトロピー性を生じさせることが可能であるため、発光素子２の間隙７に保護樹脂６を侵入させないようにできる。
【００３２】
なお、本実施形態の発光装置は、一般照明や車両用照明装置等に好適に使用することができる。例えば、図３のように、サブマウント基板１を、発光素子１の駆動回路等が搭載された回路基板９に搭載する。サブマウント基板１の回路パターン１２と回路基板９の回路パターン１１とは、ボンディングワイヤー１０によって接続する。このとき、ボンディングワイヤー１０は、ボンディングワイヤー３と同様の透明な保護樹脂１３で被覆してもよいし、黒色のフィラーが分散された樹脂で保護樹脂１３を形成することも可能である。また、保護樹脂１３の表面の一部を除去して光の反射方向を除去したり、樹脂の表面に穴を設けたり粗面にすることにより、光の反射を防止してもよい。保護樹脂１３は、保護樹脂６と比較して、発光素子２から離れた位置にあるため、上記のような構造を採用することができる。
【００３３】
＜第２実施形態＞
第２実施形態の発光装置を図４（ａ），（ｂ）を用いて説明する。第２の実施形態の発光装置は、図４（ａ）のように、ボンディングワイヤー３の最上部のサブマウント基板１からの高さが、発光素子２の表面のサブマウント基板１からの高さよりも大きい。よって、保護樹脂６の最上部は、発光素子２の表面よりも高く盛り上げられている。それ以外の構造は、図４（ａ），（ｂ）から明らかなように第１実施形態と同様であるので説明を省略する。
【００３４】
保護樹脂６は、第１実施形態と同様の構成であるため、未硬化の保護樹脂６にチクソトロピー性を持たせることが可能であり、チクソトロピー性により流動性を制御することで図４（ａ）のように、発光素子２の表面よりも高く盛り上げることができる。よって、ボンディングワイヤー３の湾曲形状を、耐久性や設計上で必要とされる所望の形状にすることができる。
【００３５】
＜第３実施形態＞
第３実施形態の発光装置を図５（ａ）、（ｂ）を用いて説明する。本実施形態の保護樹脂６は、半導体発光層２２に最も近い縁部領域６ａの粒子の含有率が、縁部領域６ａよりも半導体発光層２２から離れた領域６ｂの粒子の含有率よりも大きい。他の構成は、第１実施形態と同様であるので説明を省略する。
【００３６】
このように、保護樹脂６を縁部領域６ａと領域６ｂとに分け、縁部領域６ａの粒子の含有率を領域６ｂよりも高くすることにより、チクソトロピー性の高い縁部領域６ａの保護樹脂６を、ディスペンス等によりまず形成し、その後領域６ｂの保護樹脂６を滴下することができる。これにより、縁部領域６ａを高いチクソトロピー性を利用して、比較的容易に所望の位置に形成できる。よって、縁部領域６ａと蛍光体層８との間に、微細な空隙１４を形成できる。領域６ｂの保護樹脂６は、チクソトロピー性が縁部領域６ａよりも低い材料であっても、縁部領域６ａを超えて、蛍光体層８側に広がることはできない。よって、領域６ｂの保護樹脂６の設計の自由度が高まる。
【実施例】
【００３７】
＜実施例１＞
第１実施形態の発光装置の実施例について図１等を用いて説明する。
【００３８】
発光素子２としては、素子基板２１上に薄膜状の半導体発光層２２が複数形成されたＬＥＤ（以下ＬＥＤ２と称す）を用いる。サブマウント基板１は、ＡｌＮ製のものを用いる。ＬＥＤ２は、ＡｌＮサブマウント基板１上に複数実装されており、それらの半導体発光層２２は、各々を独立点灯できるように、ＬＥＤ２の内部配線（図示せず）が設計されている。給電のためのボンディングワイヤー３が、半導体発光層２２の数に対して１対（２本）配置され、ＬＥＤ２の電極４とサブマウント基板１の回路パターン５とを接続している。
【００３９】
実施例１の発光装置の製造工程を図２を用いて説明する。ＡｌＮサブマウント基板１上に接合材（例えば半田ペースト、半田めっき）を用いてＬＥＤ２を実装する（図２（ａ））。ＬＥＤ２上の給電電極４とＡｌＮサブマウント基板１の回路パターン５の所定箇所とを、Ａｕワイヤー３によってボンディングして接続する（図２（ｂ））。この時、１ｓｔボンディング位置を、ＡｌＮサブマウント基板１の回路パターン５側、２ｎｄボンディング位置をＬＥＤ２上部の電極４にすることで、ワイヤー３のループ高さを低くすることができ、後の工程で示すワイヤー３全体を覆う保護樹脂６の高さと量を抑えることができる。これにより、信頼性の高い構造にすることができる。
【００４０】
次に、半導体発光層２２を覆うように蛍光体層を形成する（図２（ｃ））。形成方法は、例えば、シリコーン樹脂と蛍光体を混ぜたものをディスペンスする方法や、ステンシル印刷する方法の他に、半硬化の蛍光体含有樹脂シートを加熱溶着する方法等を採用することができ、これらの中から適宜選択した方法を用いる。例えば、本実施例では、半硬化の蛍光体含有樹脂シートを複数の半導体発光層２２のエリアに貼り合せて加熱溶着し、硬化させることで蛍光体層８を形成することができる。蛍光体が均一に分散された蛍光体含有樹脂シートは、蛍光体濃度と厚みを制御することで、色ばらつきが少ない蛍光体層８を形成できる。半硬化の蛍光体含有樹脂シートは、複数の半導体発光層２２の全面に対して１枚搭載することも可能であるし、半導体発光層２２ごとに個別に搭載することも可能である。複数の半導体発光層２２の全体を１枚の半硬化の蛍光体含有樹脂シートで覆う場合、半導体発光層２２同士が近接している場合には特に有効である。複数の半導体発光層２２の間で高さのばらつきがある場合は、個別にシートを搭載する方法が有効である。
【００４１】
最後に、光透過性で未硬化のチクソトロピー樹脂を用いてワイヤー３全体を覆うように封止し、保護樹脂６を形成する（図２（ｄ））。チクソトロピー樹脂は、例えば、シリコーン樹脂にナノシリカを分散したものを用いることができる。ナノシリカが樹脂内部で三次元に分散することで流動性を制御することができ（チクソトロピー性）を樹脂に持たせることができる。これにより、ワイヤー３の周囲に樹脂を滴下した際に、樹脂が流れて、ワイヤー３を包含する形状が維持できなくなることを防止できる。
【００４２】
本実施例では、チクソトロピー樹脂として、透明シリコーン樹脂に、シリカのナノ粒子（トクヤマ製レオロシールＤＭ−３０Ｓ）を濃度５（ｗｔ％）混合したものを用いる。これを、ディスペンス装置にてワイヤー３全体を覆うように塗布し、図１のような形状の未硬化の樹脂を形成した後、硬化させ、保護樹脂６を形成した。なお、シリコーン樹脂とシリカの屈折率差は小さいため、ナノシリカを分散させたシリコーン樹脂は、光透過性（透明性）が保たれる。
【００４３】
保護樹脂６の高さは、ワイヤー３の最上部が覆われ、かつ、蛍光体層８の上面と同等以下が好ましい。これにより、半導体発光層２２を発光光が、保護樹脂６の表面に干渉しない高さとなる。
【００４４】
以上により、実施例１の発光装置を製造できる。
【００４５】
なお、本実施例では、蛍光体層８の側面と、保護樹脂６が接触している構成を示したが、これに限定されるわけではない。例えば、ＬＥＤ２上の給電電極４の位置を半導体発光層２２から更に離して配置することで、蛍光体層８の側面と保護樹脂６との間に、間隙を設けることができる。これにより、半導体発光層２２の発光時に、蛍光体層８の側面の光が保護樹脂６に入射するのを抑制することができる。
【００４６】
＜比較例＞
保護樹脂６を、カーボンを混ぜた黒色樹脂、酸化チタンを混ぜた白色樹脂でそれぞれ形成し、他の構成は実施例１と同様にして、発光装置を製造した。その結果、黒色樹脂で保護樹脂６を形成した場合、光吸収による発熱と劣化が激しく、信頼性に問題があった。一方、白色樹脂で保護樹脂６を形成した場合、酸化チタンの光触媒作用によって樹脂の分解が発生し、液状のオイルブリードが蛍光体層上面に染み出す、との問題があった。よって、比較例の有色樹脂は、保護樹脂６としては、は好ましくないとの結論に至った。
【００４７】
＜実施例２＞
第２実施形態の図４の発光装置の実施例について説明する。
【００４８】
蛍光体層８を半硬化の蛍光体含有樹脂シートを加熱溶着することにより形成する点では、実施例１と同様であるが、実施例１と異なるのは、半硬化の蛍光体含有樹脂シートとして、所定の厚さの剥離可能なベースフィルム４１に搭載されているものを用い、加熱溶着後にベースフィルム４１をはがさないまま、保護樹脂６を塗布、硬化させる。その後、ベースフィルム４１を除去（剥離）する。
【００４９】
これにより、図４（ａ）のように、蛍光体層８よりも高い位置まで保護樹脂６を盛り上げることができる。よって、蛍光体層８の厚さを薄くする（２０μｍ以下）にすることができ、蛍光体層８の波長変換の効率を高めることができる。
【００５０】
蛍光体層の厚さが薄く、かつ、複数の半導体発光層２２を覆うように１枚の薄膜状の蛍光体含有樹脂シートを用いることにより、発光装置の高輝度化、半導体発光層２２の個別点灯時のクロストーク（蛍光体層内の光伝搬により、消灯している半導体発光層２２の周辺が光っているように見えるにじみ現象）の防止に効果的である。
【００５１】
なお、実施例２は、実施例１に比べて、保護樹脂６の表面の高さが蛍光体層８の表面の高さよりも高い位置に位置しているが、保護樹脂６が光透過性樹脂であるため、保護樹脂６が光を妨げることはなく、光学的な差異は見られない。
【００５２】
一方、実施例２の構造においては、蛍光体層８側面からの光が保護樹脂６に入射するが、側面発光成分は蛍光体層８全体の発光割合の１％以下であり、レンズ系を用いた投射型光学系では光利用角度からは影響のない成分である。よって、光利用効率の点では、蛍光体層８側面からの光が保護樹脂６に入射しても問題ない。
【００５３】
また、図４（ａ），（ｂ）の構造を、車両用照明装置の光源として用いる場合、保護樹脂６内を導光した光の反射成分が、光源から発生られた光を投影するレンズ光学系に現れるグレア問題が生じるが、ＬＥＤ２上面の給電電極付近の組成を反射率の低い材料にすることで反射成分を抑制することができる。具体的には、素子基板としてＳｉ基板を用い、給電電極をＡｕパターン、それ以外の領域を酸化膜で保護することで可視光反射率を抑えることができる。
【００５４】
＜実施例３＞
図５を用いて、第３実施形態の発光装置の実施例を説明する。
【００５５】
実施例１との違いは、保護樹脂６として、粒子の濃度が高いものと低いものの２種類を用意し、濃度が高いもので縁部領域６ａを形成した後、濃度が低いもので他の領域６ｂを形成する。これ以外の構成は、実施例１と同様であるので説明を省略する。
【００５６】
粒子濃度が高いチクソトロピー樹脂によって、ＬＥＤ上の給電電極部４付近に領域６ａを予め形成し、その後、流動性のある粒子濃度が低いチクソトロピー樹脂を滴下する。これにより、保護樹脂６が蛍光体層側に流れるのを防止できる。
【００５７】
粒子濃度が高いチクソトロピー樹脂としては、例えば実施例１にて示したナノシリカ濃度を１０（ｗｔ％）にしたものを用いて、ＬＥＤ２上の給電電極部４付近に塗布し、縁部領域６ａを形成する。粒子の濃度が高いため、粒子濃度が低い（５（ｗｔ％））のチクソトロピー樹脂を安定して、縁部領域６ａの外側に塗布し、保護樹脂６を形成することができる。
【００５８】
なお、粒子濃度が高いチクソトロピー樹脂と粒子濃度が低いチクソトロピー樹脂は、両者のベースとなる樹脂は同一種類であることが好ましい。また、粒子濃度が高いチクソトロピー樹脂で形成した縁部領域６ａは、未硬化または半硬化状態が好ましく、粒子濃度が低い光透過性チクソトロピー樹脂を、縁部領域６ａの外側に塗布し、形成後に同時に加熱硬化する。これにより、縁部領域６ａと、その外側領域６ｂが化学結合して一体化するので、熱衝撃等が加わっても界面剥離などの問題が起こらない。
【００５９】
本実施形態および各実施例の車両用前照灯（アダプティブドライビングビーム：ＡＤＢ）や、一般照明や、屋外特殊照明に用いるのに好適である。
【符号の説明】
【００６０】
１・・・サブマウント基板、２・・・発光素子、３・・・ボンディングワイヤー、４・・・電極、５・・・回路パターン、６・・・保護樹脂、８・・・蛍光体層、２１・・・素子基板、２２・・・半導体発光層
【図１】
2017212301.tif 000003
【図２】
2017212301.tif 000004
【図３】
2017212301.tif 000005
【図４】
2017212301.tif 000006
【図５】
2017212301.tif 000007